(57)【特許請求の範囲】
【請求項１】
歩行位置及びその周囲の道路地図を表示可能な歩行者端末装置であって、
歩行者の進行方向前方の交差点に設置されている、当該進行方向延長上にある第１横断歩道用の第１歩行者用信号機と、当該進行方向に交差する方向にある第２横断歩道用の第２歩行者用信号機との双方の、灯色の表示時間に関する信号情報を取得する信号情報取得部と、
歩行者の歩行状態を示す歩行情報を取得する歩行情報取得部と、
各種情報を歩行者に対して出力する出力部と、
前記歩行情報取得部によって取得された前記歩行情報に応じて、前記第１歩行者用信号機と前記第２歩行者用信号機とのうちのどちらの前記信号情報を、歩行者に対して優先的に前記出力部によって出力させるかについて決定する決定部と、
を備え、
前記出力部は、前記第１歩行者用信号機の前記信号情報と前記第２歩行者用信号機の前記信号情報との双方を出力すると共に、当該第１歩行者用信号機と当該第２歩行者用信号機との内の、優先的に出力させることを前記決定部が決定した一方の歩行者用信号機の前記信号情報を、他方の歩行者用信号機の前記信号情報よりも強調して出力する
ことを特徴とする歩行者端末装置。
【請求項２】
前記歩行情報取得部によって取得された前記歩行情報が、前記第１横断歩道が設けられた方向と同じ方向に向かって歩行者が進行していることを意味する情報である場合、
前記決定部は、前記第１歩行者用信号機の前記信号情報を、優先的に出力させるように決定する請求項１に記載の歩行者端末装置。
【請求項３】
歩行位置及びその周囲の道路地図を表示可能な歩行者端末装置であって、
歩行者の進行方向前方の交差点に設置されている、当該進行方向延長上にある第１横断歩道用の第１歩行者用信号機と、当該進行方向に交差する方向にある第２横断歩道用の第２歩行者用信号機との双方又は一方の、灯色の表示時間に関する信号情報を取得する信号情報取得部と、
歩行者の歩行状態を示す歩行情報を取得する歩行情報取得部と、
各種情報を歩行者に対して出力する出力部と、
前記歩行情報取得部によって取得された前記歩行情報に応じて、前記第１歩行者用信号機と前記第２歩行者用信号機とのうちのどちらの前記信号情報を、歩行者に対して優先的に前記出力部によって出力させるかについて決定する決定部と、
を備え、
前記歩行情報取得部によって取得された前記歩行情報が、前記交差点で歩行者が停止していることを意味する情報である場合、
前記決定部は、前記第１歩行者用信号機と前記第２歩行者用信号機とのうち、赤信号を表示している歩行者用信号機の信号情報を、優先的に出力させるように決定することを特徴とする歩行者端末装置。
【請求項４】
交通事故の発生率に関する事故情報を取得する事故情報取得部を備え、
前記事故情報に基づく前記発生率が閾値以上である地点が、前記交差点に含まれていると判断すると、歩行者に対して注意喚起の情報を前記出力部に出力させる請求項１〜３のいずれか一項に記載の歩行者端末装置。
【請求項５】
コンピュータを、請求項１〜４のいずれか一項に記載の歩行者端末装置として機能させるためのコンピュータプログラム。
【請求項６】
歩行位置及びその周囲の道路地図を表示可能な歩行者端末装置によって行われる情報報知方法であって、
歩行者の進行方向前方の交差点に設置されている、当該進行方向延長上にある第１横断歩道用の第１歩行者用信号機と、当該進行方向に交差する方向にある第２横断歩道用の第２歩行者用信号機との双方の、灯色の表示時間に関する信号情報を取得し、
歩行者の歩行状態を示す歩行情報を取得し、
取得された前記歩行情報に応じて、前記第１歩行者用信号機と前記第２歩行者用信号機とのうちのどちらの前記信号情報を、優先的に出力させるかについて決定し、
前記第１歩行者用信号機の前記信号情報と前記第２歩行者用信号機の前記信号情報との双方を出力すると共に、当該第１歩行者用信号機と当該第２歩行者用信号機との内の、優先的に出力させることを決定した一方の歩行者用信号機の前記信号情報を、他方の歩行者用信号機の前記信号情報よりも強調して出力することを特徴とする情報報知方法。
【請求項７】
歩行位置及びその周囲の道路地図を表示可能な歩行者端末装置によって行われる情報報知方法であって、
歩行者の進行方向前方の交差点に設置されている、当該進行方向延長上にある第１横断歩道用の第１歩行者用信号機と、当該進行方向に交差する方向にある第２横断歩道用の第２歩行者用信号機との双方又は一方の、灯色の表示時間に関する信号情報を取得し、
歩行者の歩行状態を示す歩行情報を取得し、
取得された前記歩行情報が、前記交差点で歩行者が停止していることを意味する情報である場合、前記第１歩行者用信号機と前記第２歩行者用信号機とのうち、赤信号を表示している歩行者用信号機の信号情報を、優先的に出力させるように決定し、
この決定した歩行者用信号機の信号情報を優先的に出力する
ことを特徴とする情報報知方法。
【発明の詳細な説明】
【技術分野】
【０００１】
本発明は、歩行者端末装置、コンピュータプログラム、及び、情報報知方法に関する。
【背景技術】
【０００２】
目的地までの経路を検索し、検索した経路に従って経路案内を行うナビゲーション技術が知られているが、このナビゲーション技術は、歩行者が所持するポータブルナビゲーション装置又は携帯電話（スマートフォン）などの歩行者端末装置にも適用されつつある（例えば、特許文献１参照）。
【０００３】
この歩行者端末装置におけるナビゲーション技術では、例えばダイクストラ法などの手法により経路検索が行われる。なお、このような歩行者端末装置によって行われる歩行経路の検索は、現在地から徒歩で移動可能である近隣の位置までのミクロな範囲内における検索が主となる。
【先行技術文献】
【特許文献】
【０００４】
【特許文献１】特開２００９−２０４４２９号公報（図１参照）
【発明の概要】
【発明が解決しようとする課題】
【０００５】
上記のような歩行者端末装置によれば、目的地を設定すれば、その目的地までの概略的な歩行経路が検索され、この歩行者端末装置を所持する歩行者は、検索された歩行経路にしたがって案内される。
しかし、目的地が設定されていない場合、従来の歩行者端末装置では、現在位置の周辺の道路地図を表示するのみであり、歩行者にとってその他の有用な情報を表示することは考えられていない。
【０００６】
そこで、本発明の目的は、目的地を設定していなくても、歩行者にとって有用となる情報を出力することができ、歩行者に安全歩行させることが可能となる歩行者端末装置、コンピュータプログラム、及び、情報報知方法を提供する。
【課題を解決するための手段】
【０００７】
（１）本発明は、歩行位置及びその周囲の道路地図を表示可能な歩行者端末装置であって、歩行者の進行方向前方の交差点に設置されている、当該進行方向延長上にある第１横断歩道用の第１歩行者用信号機と、当該進行方向に交差する方向にある第２横断歩道用の第２歩行者用信号機との双方の、灯色の表示時間に関する信号情報を取得する信号情報取得部と、歩行者の歩行状態を示す歩行情報を取得する歩行情報取得部と、各種情報を歩行者に対して出力する出力部と、前記歩行情報取得部によって取得された前記歩行情報に応じて、前記第１歩行者用信号機と前記第２歩行者用信号機とのうちのどちらの前記信号情報を、歩行者に対して優先的に前記出力部によって出力させるかについて決定する決定部とを備え、前記出力部は、前記第１歩行者用信号機の前記信号情報と前記第２歩行者用信号機の前記信号情報との双方を出力すると共に、当該第１歩行者用信号機と当該第２歩行者用信号機との内の、優先的に出力させることを前記決定部が決定した一方の歩行者用信号機の前記信号情報を、他方の歩行者用信号機の前記信号情報よりも強調して出力する。
【０００８】
本発明によれば、交差点に設置されている第１歩行者用信号機と第２歩行者用信号機との信号情報のうち、歩行者にとって相応しい信号機の信号情報が、当該歩行者の歩行状態を示す歩行情報に応じて優先的に出力され、歩行者は、その信号情報を把握することができる。例えば、歩行者用信号機の灯色の表示時間に関する信号情報として、青の灯色の残り時間又は赤の灯色の残り時間などを把握することができる。したがって、歩行者が無駄な駆け足を行うなどの非安全行動が抑制され、歩行者に安全歩行させることが可能となる。なお、前記歩行状態を示す歩行情報としては、例えば、歩行しているのか、停止しているのか、さらには、歩行している場合、どの方向に向かって進行しているのか、などの状態を示す情報である。
また、歩行者にとって参照すべき信号機が複数ある場合に、それらを同時に表示すると、歩行者が状態を知りたいと考える信号機の情報がどれであるのかを一目で判断することが難しく、目移り等してしまい、歩行者が画面を凝視する等の状態になって、歩行中に注意が散漫になる可能性がある。
しかし、本発明によれば、歩行者の歩行状況等に応じて参照したいと思われる信号機を優先して表示することで上記のような事態に陥ることを防止できる。
【０００９】
（２）また、前記歩行者端末装置において、前記歩行情報取得部によって取得された前記歩行情報が、前記第１横断歩道が設けられた方向と同じ方向に向かって歩行者が進行していることを意味する情報である場合、前記決定部は、前記第１歩行者用信号機の前記信号情報を、優先的に出力させるように決定するのが好ましい。
これは、歩行者が交差点に向かって進行している場合、そのまま直進して第１横断歩道を渡るか、右折して第２横断歩道を渡るか、あるいはその他の方向へ行くかが不明であるが、歩行者が正面に視認している第１歩行者用信号機の灯色に関する信号情報を優先的に伝えるのが、歩行者にとって最も自然な情報提供方法だからであり、その方が歩行者が安全かつ快適に歩行を継続できると考えられるためである。
また、この場合、例えば、歩行者が第１横断歩道を渡るつもりで、第１歩行者用信号機の灯色が青の灯色であった場合、交差点に到着するまでの予想時間と青信号の残り時間とを考慮して、歩行者は、第１横断歩道を渡ることができるか、あるいは信号待ちをせざるをえないのかといったことを瞬時に判断することが可能となる。この場合、もし歩行者が、第１横断歩道が設けられた車道に加えて第２横断歩道が設けられた車道も横断する予定があるならば、先に第２歩行者用横断歩道を渡る方が得策であるかどうかといったことも同時に把握することができるようになる。また、第１歩行者用信号機の灯色が赤である場合、交差点に到着するまでの予想時間と赤信号の残り時間とを考慮して、第１横断歩道を渡るべきか、あるいは第２横断歩道を渡るべきかを瞬時に判断することが可能となる。
このようにすることで、歩行者から視認しにくい第２歩行者用信号機の信号情報を優先的に表示するなどして、両方の信号情報を同じように表示する場合に比べて、歩行者の歩行状態にとってもっとも自然な情報提供をすることが可能になる。
【００１０】
（３）また、本発明は、歩行位置及びその周囲の道路地図を表示可能な歩行者端末装置であって、歩行者の進行方向前方の交差点に設置されている、当該進行方向延長上にある第１横断歩道用の第１歩行者用信号機と、当該進行方向に交差する方向にある第２横断歩道用の第２歩行者用信号機との双方又は一方の、灯色の表示時間に関する信号情報を取得する信号情報取得部と、歩行者の歩行状態を示す歩行情報を取得する歩行情報取得部と、各種情報を歩行者に対して出力する出力部と、前記歩行情報取得部によって取得された前記歩行情報に応じて、前記第１歩行者用信号機と前記第２歩行者用信号機とのうちのどちらの前記信号情報を、歩行者に対して優先的に前記出力部によって出力させるかについて決定する決定部とを備え、前記歩行情報取得部によって取得された前記歩行情報が、前記交差点で歩行者が停止していることを意味する情報である場合、前記決定部は、前記第１歩行者用信号機と前記第２歩行者用信号機とのうち、赤信号を表示している歩行者用信号機の信号情報を、優先的に出力させるように決定する。
交差点で歩行者が停止しているということは、その時点で青信号を表示している方向に進行したいのではなく、赤信号を表示している方向に進行したいと考えている可能性が高いからである。例えば、交差点に接近するまでの間、優先的に信号情報を表示していた第１歩行者用信号機が青信号であり、他方の第２歩行者用信号機が赤信号の状態で歩行者が停止している場合、これまで優先的に表示してきた第１歩行者用信号機に代えて、第２歩行者用信号機の信号情報として、赤の灯色の残り時間を優先的に出力させる。これにより、歩行者は、第２歩行者用信号機が赤から青に変わるまでの時間を把握することが可能となる。
なお、信号の表示状態が切り替わる時間帯では、双方の歩行者用信号機が赤信号を表示しているケースがあるが、その場合には、歩行者が交差点に到着するまでに進行してきた方向の信号機、すなわち第１歩行者用信号機の信号情報を優先的に表示するのが好ましい。
ただし、双方の歩行者用信号機が赤信号の状態から、一方の歩行者用信号機が青信号に遷移してもなお、歩行者が交差点で停止している場合、その時点で赤信号を表示している歩行者用信号機の信号情報を優先的に表示するのがよい。例えば、第１歩行者用信号機が青信号になっても歩行者が交差点で停止している場合には、第１歩行者用信号機の信号情報に代えて、第２歩行者用信号機の信号情報を優先的に表示するのがよい。
なお、この場合、歩行者端末装置の画面表示が、第１横断歩道が設けられた方向が上になるようにして行われているのであれば、優先的に情報提供する対象となる第２横断歩道の方向が上になるように切り替えても良い。そうすることで、より一層歩行者にとって自然な画面表示を実現することが可能となる。
【００１１】
（４）また、本発明の歩行者端末装置は、更に、交通事故の発生率に関する事故情報を取得する事故情報取得部を備え、前記事故情報に基づく前記発生率が閾値以上である地点が、前記交差点に含まれていると判断すると、歩行者に対して注意喚起の情報を前記出力部に出力させるのが好ましい。
この場合、歩行者が通過しようとする交差点に、交通事故の発生率が閾値以上である地点が含まれていると、歩行者端末装置は、歩行者に対して注意喚起の出力を行い、歩行者は、交差点を注意して歩行することができる。
【００１２】
（５）また、本発明のコンピュータプログラムは、コンピュータを、前記（１）〜（４）のいずれか一項に記載の歩行者端末装置として機能させるためのコンピュータプログラムである。
本発明のコンピュータプログラムがコンピュータを歩行者端末装置として機能させることで、歩行者の歩行状態を示す歩行情報に応じて、交差点に設置されている第１歩行者用信号機と第２歩行者用信号機とのうち当該歩行者にとって相応しい信号機の信号情報が、優先的に出力される。このため、歩行者は、その信号情報を把握することができる。例えば、歩行者用信号機の灯色の表示時間に関する信号情報として、青の灯色の残り時間又は赤の灯色の残り時間を把握することができる。したがって、無駄な駆け足を行うなどの非安全行動が抑制され、歩行者に安全歩行させることが可能となる。
【００１３】
（６）また、本発明は、歩行位置及びその周囲の道路地図を表示可能な歩行者端末装置によって行われる情報報知方法であって、歩行者の進行方向前方の交差点に設置されている、当該進行方向延長上にある第１横断歩道用の第１歩行者用信号機と、当該進行方向に交差する方向にある第２横断歩道用の第２歩行者用信号機との双方の、灯色の表示時間に関する信号情報を取得し、歩行者の歩行状態を示す歩行情報を取得し、取得された前記歩行情報に応じて、前記第１歩行者用信号機と前記第２歩行者用信号機とのうちのどちらの前記信号情報を、優先的に出力させるかについて決定し、前記第１歩行者用信号機の前記信号情報と前記第２歩行者用信号機の前記信号情報との双方を出力すると共に、当該第１歩行者用信号機と当該第２歩行者用信号機との内の、優先的に出力させることを決定した一方の歩行者用信号機の前記信号情報を、他方の歩行者用信号機の前記信号情報よりも強調して出力する。
（７）また、本発明は、歩行位置及びその周囲の道路地図を表示可能な歩行者端末装置によって行われる情報報知方法であって、歩行者の進行方向前方の交差点に設置されている、当該進行方向延長上にある第１横断歩道用の第１歩行者用信号機と、当該進行方向に交差する方向にある第２横断歩道用の第２歩行者用信号機との双方又は一方の、灯色の表示時間に関する信号情報を取得し、歩行者の歩行状態を示す歩行情報を取得し、取得された前記歩行情報が、前記交差点で歩行者が停止していることを意味する情報である場合、前記第１歩行者用信号機と前記第２歩行者用信号機とのうち、赤信号を表示している歩行者用信号機の信号情報を、優先的に出力させるように決定し、この決定した歩行者用信号機の信号情報を優先的に出力する。
【００１４】
本発明によれば、交差点に設置されている第１歩行者用信号機と第２歩行者用信号機との信号情報のうち、歩行者にとって相応しい信号機の信号情報が、当該歩行者の歩行状態を示す歩行情報に応じて優先的に出力され、歩行者は、その信号情報を把握することができる。例えば、歩行者用信号機の灯色の表示時間に関する信号情報として、青の灯色の残り時間又は赤の灯色の残り時間などを把握することができる。したがって、歩行者が無駄な駆け足を行うなどの非安全行動が抑制され、歩行者に安全歩行させることが可能となる。
【発明の効果】
【００１５】
本発明によれば、交差点に設置されている第１歩行者用信号機と第２歩行者用信号機との信号情報のうち、歩行者にとって相応しい信号機の信号情報が、当該歩行者の歩行状態に応じて優先的に出力され、歩行者は、その信号情報を把握することができる。したがって、歩行者が無駄な駆け足を行うなどの非安全行動が抑制され、歩行者に安全歩行させることが可能となる。
【図面の簡単な説明】
【００１６】
【図１】本発明の歩行者端末装置の実施の一形態を示すブロック図である。
【図２】歩行者が歩行している道路を説明する説明図である。
【図３】ディスプレイに信号情報が出力された状態を説明する説明図であり、（Ａ）は、第１歩行者用信号機の信号情報が優先表示された場合であり、（Ｂ）は、第２歩行者用信号機５２の信号情報が優先表示された場合である。
【図４】歩行者端末装置による情報報知方法を説明するフロー図である。
【図５】歩行者に対して注意喚起の報知を行う歩行者端末装置の説明図である。
【発明を実施するための形態】
【００１７】
以下、本発明の実施の形態を図面に基づいて説明する。
〔歩行者端末装置の全体構成について〕
図１は、本発明の歩行者端末装置１の実施の一形態を示すブロック図である。この歩行者端末装置１は、歩行者によって所持される装置であり、自身（歩行者端末装置１を所持している歩行者）の位置を測位し、測位して得られた位置情報に基づいて地図上における自身の位置（現在位置）を推定することができる。また、この歩行者端末装置１は、自身の位置（つまり、歩行者の歩行位置）及びその周囲の道路地図を表示可能であり、この表示を、当該歩行者端末装置１を携帯している歩行者に見せることにより、歩行者を案内することができる。
さらに、この歩行者端末装置１は、自身の位置から目的地までの歩行経路を検索する機能も有している。そして、歩行者端末装置１は、検索した歩行経路を、当該歩行者端末装置１を携帯している歩行者に対して歩行時に報知することで、歩行者を案内することができる。
【００１８】
歩行者端末装置１は、歩行者の案内のための各種の処理を実行する中央処理部２、歩行者が操作して情報を入力する入力部３、自身の位置（現在位置）を測位して当該位置についての位置情報を取得する位置情報取得部４、地図情報（地図データ）及びコンピュータプログラムなどが記憶されている記憶装置５、道路に設置されている路側装置（インフラ装置）１０の通信部１１との間で無線通信を行う通信部６、及び、経路案内などに関する各種情報を歩行者に対して出力する出力部７を備えている。中央処理部２の処理には通信制御が含まれる。
【００１９】
本実施形態の歩行者端末装置１は、コンピュータとしての機能を有する携帯電話（スマートフォン）からなり、地図を表示して道路などの案内を行う装置としてこの携帯電話を機能させるためのコンピュータプログラムが、携帯電話にインストールされることにより構成される。なお、歩行者端末装置１は、コンピュータとしての機能を有するポータブルナビゲーション装置であってもよい。
【００２０】
そして、前記中央処理部２が有する後述の各機能部は、このコンピュータプログラムが中央処理部２によって実行されることで発揮される。つまり、このコンピュータプログラムは、コンピュータとしての機能を有する携帯電話（スマートフォン）を、歩行者端末装置１として機能させるためのものである。
なお、このコンピュータプログラムの販売・譲渡は、当該コンピュータプログラムがネットワーク経由でダウンロード可能に格納されたサーバから、歩行者端末装置１にダウンロードされることで行うことができる。また、このコンピュータプログラムは、ＣＤ−ＲＯＭ、ＤＶＤ−ＲＯＭなどの記録媒体に格納されて販売、譲渡されるものであってもよい。中央処理部２の各機能部については、後に説明する。
【００２１】
前記出力部７は、ディスプレイ７ａ及びスピーカ７ｂからなり、ディスプレイ７ａは、経路案内に関する情報などを画像として出力する。この経路案内に関する情報としては、周辺の道路地図、中央処理部２によって検索された歩行経路、並びに、後に説明する交通信号機の信号情報及び注意喚起についての情報などがある。
また、スピーカ７ｂは、経路案内に関する情報などを音声として出力する。この経路案内に関する情報としては、中央処理部２によって検索された歩行経路、並びに、後に説明する交通信号機の信号情報及び注意喚起についての情報などがある。
【００２２】
前記入力部３は、歩行者のユーザインターフェースとして機能する操作装置からなり、本実施形態では、前記ディスプレイ７ａを用いたタッチパネル装置である。歩行者がこの入力部３を操作することにより、入力部３を通じて中央処理部２へと歩行経路の検索のための目的地などの各種情報が入力される。なお、入力部３は、ディスプレイ７ａ（タッチパネル装置）とは別に設けられたボタンなどであってもよい。
【００２３】
また、中央処理部２の機能によって歩行経路の検索を実行するために、その検索の条件を、入力部３を通じて歩行者は入力する。検索の条件としては、目的地までの距離が最小となるように時間よりも距離を優先させる距離優先、及び、目的地までの時間が最小となるように距離よりも時間を優先させる時間優先がある。この入力部３により、距離優先と時間優先との選択が行われる。
【００２４】
前記位置情報取得部４は、例えばＧＰＳ測位部を有しており、ＧＰＳ測位部はＧＰＳ衛星からの電波を受信し自身の位置（現在位置）を測位する。また、位置情報取得部４は、方位センサ及び加速度センサを有しており、これらセンサの出力に基づいて歩行方向及び歩行距離を検出する。位置情報取得部４は、測位した自身の位置についての位置情報を生成し、この位置情報を中央処理部２に与える。また、位置情報取得部４は、検出した歩行方向及び歩行距離についての情報を中央処理部２に与える。
【００２５】
前記記憶装置５は、ＲＯＭ、ＲＡＭ、ハードディスクなどのメモリからなり、前記コンピュータプログラムの他に、地図情報などを記憶する。そして、位置情報取得部４によって取得された現在位置（前記位置情報）に基づいて、現在位置及びその周囲の地図（地図情報）が、ディスプレイ７ａに表示され、歩行者に対して経路案内がされる。なお、本実施形態における経路案内には、目的地までの経路が検索された経路を地図上に表示する場合の他に、目的地が設定されないで（つまり、経路検索されないで）現在位置及びその周囲の地図を表示する場合を含む。
【００２６】
前記通信部６は、前記路側装置１０の通信部１１との間で通信を行う狭域通信機能を有している。この狭域通信機能は、例えば、ＩＴＳ（道路交通情報通信システム）として車両に搭載される車載装置（図示せず）と前記路側装置１０とが通信する路車間通信などで用いられる周波数帯を利用した通信機能である。これにより、路側装置１０からの情報を、歩行者端末装置１は通信部６を通じて受信することができる。なお、歩行者端末装置１が携帯電話（スマートフォン）である場合、通信部６は、携帯電話として機能させるための広域通信機能も有しており、この広域通信機能を用いて、前記路側装置１０からの情報（例えば後述の信号情報等）を受信してもよい。
【００２７】
図２は、歩行者端末装置１を所持している歩行者が歩行している道路を説明する説明図である。前記路側装置１０は、道路に設置された交通信号機１３を制御する信号制御機１２と通信可能である。信号制御機１２は、交通信号機１３の灯色の変更についての制御を行うことから、路側装置１０は、この灯色の表示時間に関する信号情報を取得することができる。なお、この灯色の表示時間に関する信号情報には、現時点における灯色（灯色の種類）についての信号現示情報と、その灯色の残り時間についての情報（又はその灯色の継続時間についての情報）とが含まれており、また、この情報は、その灯色を示す信号機（歩行者用信号機）の識別情報が対応付けられている。これにより、図２では、交差点Ｊ１に歩行者用信号機５１，５２，５３，５４が設置されており、信号情報を取得すれば、どの歩行者用信号機がどの灯色であるかを、判別することが可能となる。また、信号情報には、灯色の変化の周期についての情報が含まれていてもよい。
【００２８】
また、路側装置１０は、ＩＴＳに含まれている交通管制センター（図示せず）の中央管理装置（中央コンピュータ）と通信可能である。中央管理装置では、管理エリア内の道路における交通事故の発生、及び、その発生地点に関する情報が収集されており、各地点毎の交通事故の発生率についての情報（事故情報）が蓄積されている。
そして、路側装置１０は、中央管理装置から事故情報を取得することができ、前記信号情報及び事故情報を通信部１１から送信することができる。この通信部１１の通信エリア内に存在している歩行者端末装置１は、前記通信部６により、この情報を受信することができる。
【００２９】
〔中央処理部２の各機能部について〕
図１において、中央処理部２は、その機能部として、経路検索部２１、信号情報取得部２２、事故情報取得部２３、歩行情報取得部２７、及び、決定部２８を有している。
【００３０】
経路検索部２１は、目的地が設定されると、前記位置情報取得部４が取得した自身の位置（現在位置）についての位置情報と、前記入力部３によって入力された目的地の情報とに基づいて、目的地までの歩行経路の検索を行うことができる。
なお、本実施形態では、目的地が設定されていない場合について説明する。
【００３１】
各機能部を説明する前に、この歩行者端末装置１を所持している歩行者が歩行する道路について、図２により説明する。道路Ｒは、車道３２と車道３８とが交差する交差点Ｊ１を含む。一方の車道３２の両側には、当該車道３２に平行である歩道３１，３３が設けられている。同様に他方の車道３８の両側には、当該車道３８に平行である歩道３７，３９が設けられている。歩行者Ｈは、目的地が設定されていない歩行者端末装置１を所持し、交差点Ｊ１に向かって歩道３１を歩行している。図２において、歩行者Ｈの進行方向を示す矢印Ｇを、進行方向前方としており、この進行方向前方の交差点Ｊ１に、交通信号機１３が設置されている。
【００３２】
この交差点Ｊ１において、歩行者Ｈの進行方向前方側に、歩行者Ｈが車道３８を横断するための第１横断歩道４１が設けられている。そして、この横断歩道４１を歩行する歩行者が従うべき第１歩行者用信号機５１が設置されている。すなわち、この第１歩行者用信号機５１は、歩道３１を交差点Ｊ１に向かって歩行している歩行者Ｈの進行方向延長上にある第１横断歩道４１用の信号機である。そして、この第１歩行者用信号機５１は、歩行者Ｈが歩行している歩道３１の進行方向前方であって交差点Ｊ１手前の位置Ｐ１から当該歩道３１に直交する（交差する）車道３８を横断する際に従うべき信号機である。
【００３３】
また、歩行者Ｈの進行方向前方であって交差点Ｊ１手前の位置Ｐ２から、歩行者Ｈが車道３２を横断するための第２横断歩道４２が設けられている。そして、この横断歩道４２を歩行する歩行者が従うべき第２歩行者用信号機５２が設置されている。すなわち、この第２歩行者用信号機５２は、歩道３１を交差点Ｊ１に向かって歩行している歩行者Ｈの進行方向に直交する（交差する）方向にある第２横断歩道４２用の信号機である。そして、この第２歩行者用信号機５２は、歩行者Ｈが歩行している歩道３１の進行方向前方の前記位置Ｐ２から当該歩道３１に平行である車道３２を横断する際に従うべき信号機である。
【００３４】
なお、この道路Ｒには、車道３８を横断するための第３横断歩道４３、及び、車道３２を横断するための第４横断歩道４４が設けられており、そして、第３横断歩道４３を歩行する歩行者が従うべき第３歩行者用信号機５３、及び、第４横断歩道４４を歩行する歩行者が従うべき第４歩行者用信号機５４が設置されている。
さらに、交差点Ｊ１の手前の停止線で停止する必要がある車両が従うべき車両用信号機１４も複数設置されている。これら歩行者用信号機５１〜５４と車両用信号機１４とを合わせて交通信号機１３と呼ぶ。
そして、記憶装置５に記憶されている地図情報には、道路Ｒの情報以外に、交通信号機１３の配置に関する情報も含まれていてもよい。
【００３５】
そして、交通信号機１３の近傍に、交通信号機１３を制御する前記信号制御機１２及び前記路側装置１０が設置されており、この路側装置１０から、交通信号機１３の配置に関する情報、及び、交通信号機１３の灯色の表示時間に関する信号情報が周囲に無線送信されている。信号情報は刻々と更新されることから、更新されていく最新の信号情報を路側装置１０は送信する。
【００３６】
そして、灯色の表示時間に関する信号情報は、その灯色を示す歩行者用信号機の識別情報が対応付けられているため、この信号情報を受信すれば、その灯色についての信号情報が、複数存在する歩行者用信号機の中でどの歩行者用信号機についての情報であるのかを理解することが可能となる。
【００３７】
信号情報取得部２２について説明する。歩行者Ｈが所持している歩行者端末装置１の信号情報取得部２２は、歩行者Ｈが歩行している歩道３１の進行方向前方の交差点Ｊ１に設置されている交通信号機１３の信号情報を、路側装置１０から、通信部６を通じて取得する。信号情報取得部２２が取得する信号情報は、歩行者用信号機についての灯色の表示時間に関する信号情報であり、特に、歩行者用信号機５１（５３）と歩行者用信号機５２（５４）との双方又は一方についての、灯色の表示時間に関する信号情報である。
【００３８】
例えば、第１（第３）の歩行者用信号機５１（５３）が赤の灯色である場合に、第１（第３）の歩行者用信号機５１（５３）が赤の灯色であることを示す信号現示情報と、赤である残り時間についての情報とを取得する。
【００３９】
なお、この信号情報を受信し取得する領域は、交差点Ｊ１の直前の位置Ｐ１又はＰ２よりも進行方向手前の領域である。つまり、交差点Ｊ１に向かって歩道３１を歩行している歩行者Ｈの歩行者端末装置１が、交差点Ｊ１に到達するよりも進行方向手前の位置において（到達するよりも前の時刻において）歩行者用信号機についての信号情報を予め受信し取得する。
【００４０】
歩行情報取得部２７は、歩行者Ｈの歩行状態を示す歩行情報を取得する。なお、歩行状態を示す歩行情報としては、例えば、歩行者Ｈが交差点Ｊ１に向かって歩行しているのか、それとも所定の位置（例えば交差点Ｊ１の手前位置Ｐ２）で停止しているか、さらには、歩行している場合、どの方向に向かって進行しているのか、などの状態を示す情報である。
このために、前記位置情報取得部４（ＧＰＳ測位部）によって測位された自身の位置（現在位置）についての情報、及び、当該位置情報取得部４（方位センサ及び加速度センサ）によって検出された進行方向についての情報を、歩行情報取得部２７が取得する。
【００４１】
歩行情報取得部２７は、ＧＰＳ測位部による自身の位置（現在位置）についての情報と加速度センサによる情報との一方又は双方に基づいて、自身は移動しているのか（つまり、歩行者Ｈは歩行しているのか）、或いは、自身は静止しているのか（つまり、歩行者Ｈは停止しているのか）について判断することができ、その判断結果（歩行停止情報）を歩行情報として生成する。
また、歩行情報取得部２７は、方位センサによる情報に基づいて、どの方向に歩行しているのかについての方向情報をさらに加えて、前記歩行情報として生成する。
【００４２】
決定部２８について説明する。図３は決定部２８による処理が行われ、ディスプレイ７ａに信号情報が出力された状態を説明する説明図である。図３（Ａ）又は（Ｂ）に示しているように、ディスプレイ７ａには、歩行者Ｈの現在位置とその周囲の道路の地図が表示される。そして、歩行者Ｈがこれから横断する可能性がある横断歩道４１，４２（図２参照）用の第１歩行者用信号機５１と第２歩行者用信号機５２との内の、一方の歩行者用信号機の信号情報が、他方の歩行者用信号機の信号情報よりも優先的にディスプレイ７ａに表示（出力）されている。
【００４３】
すなわち、図３（Ａ）では、第１歩行者用信号機５１の信号情報が、第２歩行者用信号機５２の信号情報よりも、大きく（強調して）表示されている。これとは反対に、図３（Ｂ）では、第２歩行者用信号機５２の信号情報が、第１歩行者用信号機５１の信号情報よりも、大きく（強調して）表示されている。
この表示の選択は、決定部２８の処理によって行われるものである。つまり、決定部２８は、歩行情報取得部２７によって取得された前記歩行情報に応じて、第１歩行者用信号機５１と第２歩行者用信号機５２とのうちのどちらの信号情報を、歩行者Ｈに対して優先的にディスプレイ７ａによって出力させるかについて決定する。また、信号情報は、ディスプレイ７ａと共に、又は、ディスプレイ７ａに代えてスピーカ７ｂから出力させてもよい。
なお、歩行情報に応じて、図３（Ａ）と図３（Ｂ）とのどちらが選択されるかについての具体例については、後に説明する。
【００４４】
事故情報取得部２３について説明する。図２に示している交差点Ｊ１、例えば、横断歩道４２及びその近傍の領域において過去に交通事故が発生している場合、その事故の情報が交通管制センターの中央管理装置（図示せず）に蓄積されている。事故の情報として交通事故の発生率が求められており、この発生率は、例えば、その道路における車両数に対する交通事故の発生数によって求めることができる。
【００４５】
この発生率に関する事故情報は、中央管理装置から路側装置１０に送信されており、路側装置１０から送信された前記事故情報を、通信部６を通じて歩行者端末装置１の事故情報取得部２３が取得する。そして、後にも説明するが、歩行者端末装置１は、この事故情報に基づいて、歩行者Ｈに対して注意喚起の情報を出力することができる。
【００４６】
また、事故情報取得部２３は、取得した事故情報に基づく前記発生率と、予め設定されている閾値とを比較する機能を有している。さらに、前記発生率が前記閾値以上となる地点が、歩行者Ｈの進行方向前方の領域（例えば、交差点Ｊ１）に含まれているか否かを判断する機能を、事故情報取得部２３は有している。そして、発生率が閾値以上となる地点が、歩行者Ｈの進行方向前方の領域（例えば、交差点Ｊ１）に含まれていると判断されると、事故情報取得部２３は、歩行者に対して注意喚起の報知を行うための処理を行う。
【００４７】
注意喚起の報知を行うための処理は、例えば、前記ディスプレイ７ａに、周囲の道路地図と共に、又は、この道路地図とは別に、歩行者Ｈの進行方向前方の道路では事故が多いことを意味する情報を画像として表示させる。また、このディスプレイ７ａによる表示と共に、又は、この表示とは別に、歩行者Ｈの進行方向前方の道路では事故が多いことを意味する情報を、前記スピーカ７ｂから音声によって出力させる。
【００４８】
なお、路側装置１０は、事故情報の他、事故情報以外の歩行の妨げになりうる、道路の工事や交通信号機の故障等のインフラ情報についても歩行者端末装置１へ送信しても良い。また、歩行者端末装置１は、インフラ情報を受信した場合に、歩行者に対して注意喚起の報知を行うための処理を行ってもよい。
【００４９】
〔信号情報などの情報報知方法について〕
以上の構成を備えた歩行者端末装置１によって実行される情報報知方法について説明する。図４は、情報報知方法を説明するフロー図である。
図２において、歩行者端末装置１を所持して歩行者Ｈは交差点Ｊ１に向かって歩道３１を歩行している。歩行者端末装置１の位置情報取得部４は、自身の位置（現在位置Ｓ）についての位置情報を取得している（図４のステップＳ１）。この位置情報に基づいて、歩行者端末装置１のディスプレイ７ａには、現在位置及び周囲の道路の地図情報が表示されている（ステップＳ２）。
【００５０】
さらに、現在位置Ｓにおいて、信号情報取得部２２は、路側装置１０から、歩行者Ｈの進行方向前方の交差点Ｊ１に設置されている、当該進行方向延長上にある第１横断歩道４１用の第１歩行者用信号機５１と、当該進行方向に交差する方向にある第２横断歩道４２用の第２歩行者用信号機５２との双方又は一方の、灯色の表示時間に関する信号情報を取得している（ステップＳ１１）。なお、本実施形態では、第１歩行者用信号機５１と第２歩行者用信号機５２との双方の信号情報を取得している。また、本実施形態では、目的地設定はされておらず、特定の経路検索はされていない状態にある。
【００５１】
さらに、歩行情報取得部２７は、歩行者Ｈの歩行状態を示す歩行情報を取得する（ステップＳ２１）。そして、決定部２８は、取得された前記歩行情報に応じて、第１歩行者用信号機５１と第２歩行者用信号機５２とのうちのどちらの信号情報を、優先的にディスプレイ７ａに表示させるかについて決定し（ステップＳ２２）、決定した一方の歩行者用信号機の信号情報が優先的に表示される（ステップＳ２３）。
【００５２】
信号情報の表示について具体的に説明すると、図２において、交差点Ｊ１手前の歩道３１において歩行者Ｈがそのまま直進して歩行を続けている場合、歩行情報取得部２７は、第１横断歩道４１に向かって歩行者Ｈが進行していることを意味する歩行情報を取得することとなる。つまり、歩行者Ｈは移動しており、その方向が第１横断歩道４１の方向であることを意味する歩行情報である。この場合、決定部２８は、第１歩行者用信号機５１の信号情報を、優先的に出力させるように決定する（図３（Ａ）参照）。
これは、歩行者Ｈが第１横断歩道４１に向かって進行している場合、そのまま直進して第１横断歩道４１を渡るか、右折して第２横断歩道４２を渡るか、あるいはその他の方向へ行くか不明であるため、歩行者Ｈが正面に視認している第１歩行者用信号機５１の灯色に関する信号情報を優先的に伝えるのが、歩行者Ｈにとって最も自然な情報提供方法だからであり、歩行者Ｈが安全かつ快適に歩行を継続できると考えられるためである。
そこで、第１歩行者用信号機５１の信号情報として、例えば、青の灯色の残り時間「１５秒」を優先的に大きく（強調して）出力する。これにより、この歩行者端末装置１を参照する歩行者Ｈは、第１歩行者用信号機５１の青の灯色が終了するまでの時間を把握することが可能となる。
【００５３】
これに対して、図２において、交差点Ｊ１手前の位置Ｐ２において歩行者Ｈが止まっている場合、歩行情報取得部２７は、交差点Ｊ１で歩行者Ｈが所定時間について停止していることを意味する歩行情報を取得することとなる。この場合、決定部２８は、第１歩行者用信号機５１と第２歩行者用信号機５２とのうち、現在赤信号を表示している歩行者用信号機の信号情報を、優先的に出力させるように決定する（図３（Ｂ）参照）。
なお、信号の表示状態が切り替わる時間帯では、双方の歩行者用信号機が赤信号を表示しているケースがあるが、その場合には、歩行者Ｈが交差点Ｊ１に到着するまでに進行してきた方向Ｇの方向の信号機、すなわち第１歩行者用信号機５１の信号情報を優先的に表示する。
ただし、双方の歩行者用信号機が赤信号の状態から、一方の歩行者用信号機が青信号に遷移してもなお、歩行者Ｈが交差点Ｊ１で停止している場合、その時点で赤信号を表示している歩行者用信号機の信号情報を優先的に表示する。もし、第１歩行者用信号機５１が青信号になっても歩行者Ｈが交差点Ｊ１で停止している場合には、第１歩行者用信号機５１の信号情報に代えて、第２歩行者用信号機５２の信号情報を優先的に表示する。
これは、交差点Ｊ１で歩行者Ｈが停止しているということは、当該歩行者Ｈの進行すべき方向が、赤信号を表示している第２歩行者用信号機５２が通行許可を与える対象となる第２横断歩道４２である可能性が高いためである。これにより、歩行者Ｈは、自身が進行したい方向の第２歩行者用信号機５２が青の灯色に変わるまでの時間を把握することが可能となる。
なお、この場合、歩行者端末装置１の画面表示が、第１横断歩道４１が設けられた方向が上になるようにして行われているのであれば、優先的に情報提供する対象となる第２横断歩道４２の方向が上になるように切り替えても良い。そうすることで、より一層歩行者Ｈにとって自然な画面表示を実現することが可能となる。
【００５４】
そして、歩行者Ｈが交差点Ｊ１を通過すると、現在位置についての位置情報に基づいて、決定部２８は、信号情報の表示を終了させ、地図情報の表示のみとする（ステップＳ２４）。
【００５５】
また、本実施形態に係る歩行者端末装置１では、事故情報取得部２３によって交通事故の発生率に関する事故情報が取得されるので（ステップＳ３１）、事故情報取得部２３によって、その発生率が閾値以上となる地点が、進行方向前方の交差点Ｊ１に含まれていると判断されていると、事故情報取得部２３によって、歩行者Ｈに対して注意喚起の報知を行うための処理が行われる（ステップＳ３１）。
【００５６】
例えば、図５に示しているように、ディスプレイ７ａに、現在位置Ｓの周囲の地図情報と共に、交差点Ｊ１では交通事故が多発していることを意味する情報が表示される。これにより、歩行者Ｈは、交差点Ｊ１を注意して歩行することが可能となる。
【００５７】
以上の本実施形態に係る歩行者端末装置１によれば、前方の交差点Ｊ１に設置されている第１歩行者用信号機５１と第２歩行者用信号機５２とのうち、歩行者Ｈにとって相応しい信号機の信号情報が、その歩行者Ｈの歩行状態を示す歩行情報に応じて、優先的に出力される。このため、歩行者端末装置１を保持している歩行者Ｈは、その信号情報を把握することができる。例えば、図３（Ａ）に示しているように、歩行者用信号機の灯色の表示時間に関する信号情報として、青の灯色の残り時間が表示され、歩行者Ｈは、その情報を把握することができる。したがって、歩行者Ｈが無駄な駆け足を行うなどの非安全行動が抑制され、歩行者Ｈに安全歩行させることが可能となる。
【００５８】
また、本実施形態に係る歩行者端末装置１では、移動方向前方の交差点Ｊ１に設置されている交通信号機１３及び歩行者端末装置１の現在位置から所定の範囲にある交通信号機の信号情報が、表示される。例えば、図示しないが、歩行者Ｈの後方に歩行者用信号機（交通信号機）が設置されており、この歩行者用信号機が歩行者端末装置１の現在位置から所定範囲外に設置されている場合は、この歩行者用信号機の信号情報が無線送信されていても、歩行者端末装置１はこの歩行者用信号機の信号情報を用いない。
【００５９】
しかし、後方の歩行者用信号機が歩行者端末装置１の現在位置から所定範囲内に設置されている場合は、歩行者端末装置１はこの歩行者用信号機の信号情報を経路検索に用いる。こうすることで、歩行者がある交差点を通り過ぎた直後に経路検索した場合は、通り過ぎた交差点の交通信号機の情報も考慮して経路検索を行うことが可能になるため、不要な検索条件を省きつつ、歩行者の現在位置から目的地への最適経路が検索される可能性が高めることが可能となる。
【００６０】
このために、送信される信号情報には、歩行者用信号機を識別することが可能となる識別用情報が含まれている。この識別用情報として、例えば、歩行者用信号機の位置（緯度、経度）についての情報が含まれている。この識別用情報を歩行者端末装置１が受信すれば、歩行者端末装置１は自身よりも進行方向前方に設置されている歩行者用信号機についての信号情報であるか否かの判断が可能となる。このため、後方に設置されている歩行者用信号機についての信号情報を受信したとしても、この信号情報を用いないように処理することが可能となる。
【００６１】
前記実施形態では、図３（Ａ）又は（Ｂ）に示しているように、ディスプレイ７ａに、第１歩行者用信号機５１と第２歩行者用信号機５２との双方の信号情報（残り時間情報）を表示し、一方を他方よりも大きく強調して表示する場合として説明した。しかし、歩行者端末装置１による優先的な表示としては、一方の歩行者用信号機の信号情報を表示し、他方については表示させないというものであってもよい。
また、優先的に表示させる信号機についてのみ現在の灯色の残り時間情報を表示し、非優先表示の信号機については現在の灯色のみを表示するようにしても良い。
また、信号情報の出力をディスプレイ７ａにより行う場合を説明したが、スピーカ７ｂによって音声と共に（又は、音声のみで）信号情報を出力してもよい。
【００６２】
上記の実施形態はすべて例示であり本発明の範囲を制限するものではない。本発明の範囲は、上記の実施形態ではなく特許請求の範囲によって示され、特許請求の範囲の構成と均等の範囲内での変更が含まれる。
【符号の説明】
【００６３】
１：歩行者端末装置、    ２：中央処理部、    ７：出力部、    ２２：信号情報取得部、    ２３：事故情報取得部、    ２７：歩行情報取得部、    ２８：決定部、    Ｈ：歩行者、    ４１：第１横断歩道、    ４２：第２横断歩道、    ５１：第１歩行者用信号機、    ５２：第２歩行者用信号機、    Ｊ１：交差点
【図１】
0005772247.tif 000002
【図２】
0005772247.tif 000003
【図３】
0005772247.tif 000004
【図４】
0005772247.tif 000005
【図５】
0005772247.tif 000006